(57)【要約】【課題】  長年、紙のカルテを使用してきた医師が短い時間で電子カルテを作成することを支援すること。【解決手段】  実施形態の電子カルテ作成装置は、患者情報を記録した電子カルテを作成する装置である。音声解析手段は、音声を解析して文字情報に変換する。医療単語記憶手段は、複数の医療単語を記憶する。抽出手段は、医療単語記憶手段に記憶された医療単語に基づいて、音声解析手段により得られた文字情報の中から入力文字候補を抽出する。第１提示手段は、音声解析手段により得られた文字情報を表示すると共に、その文字情報に含まれる入力文字候補を選択可能に提示する。第１記録処理手段は、電子カルテに含まれる複数の入力項目に、ユーザの操作により選択された入力文字候補を入力する。【選択図】図１
2015035099.tif 000002
【特許請求の範囲】
【請求項１】
患者情報を記録した電子カルテを作成する電子カルテ作成装置であって、
音声を解析して文字情報に変換する音声解析手段と、
複数の医療単語を記憶する医療単語記憶手段と、
前記医療単語記憶手段に記憶された医療単語に基づいて、前記音声解析手段により得られた文字情報の中から入力文字候補を抽出する抽出手段と、
前記音声解析手段により得られた文字情報を表示すると共に、その文字情報に含まれる前記入力文字候補を選択可能に提示する第１提示手段と、
前記電子カルテに含まれる複数の入力項目に、ユーザの操作により選択された入力文字候補を入力する第１記録処理手段と
を備えたことを特徴とする電子カルテ作成装置。
【請求項２】
請求項１に記載の電子カルテ作成装置において、
前記音声解析手段は、
周囲の音声を集音し、当該集音した音声を解析して複数の単語からなる文書を示す前記文字情報に変換すると共に、音源の方向を特定し、当該文字情報と当該特定した音源の方向とを対応付けた音声認識結果情報を生成する手段を備えたことを特徴とする電子カルテ作成装置。
【請求項３】
請求項２に記載の電子カルテ作成装置において、
前記音声解析手段により得られた音声認識結果情報に含まれる音源の方向に基づいて、当該音声認識結果情報に含まれる文書情報が医師または患者のどちらの音声を解析したものであるか判別する音声判別手段と、
前記音声判別手段による判別結果に応じて、前記音声解析手段により得られた音声認識結果情報を、医師の音声を解析したことで得られた文書情報を含む第１の音声認識結果情報と、患者の音声を解析したことで得られた文書情報を含む第２の音声認識結果情報とに分類し、当該第１の音声認識結果情報及び当該第２の音声認識結果情報を一時メモリに各々書込む音声認識結果分類手段と
を更に備えたことを特徴とする電子カルテ作成装置。
【請求項４】
請求項３に記載の電子カルテ作成装置において、
前記分類された第１の音声認識結果情報に含まれる文書情報を医師の発言として、また、前記分類された第２の音声認識結果情報に含まれる文書情報を患者の発言として、各々表示させる表示手段をさらに備えたことを特徴とする電子カルテ作成装置。
【請求項５】
請求項３または請求項４に記載の電子カルテ作成装置において、
複数の単語の組合せからなる単語群と、患者に処方される可能性の高い複数の薬の名称を示す薬名称情報とが対応付けられた複数の調剤情報を記憶する調剤情報記憶手段と、
前記分類された第１の音声認識結果情報に含まれる文書情報を構成する複数の単語が、前記記憶された複数の調剤情報に含まれる単語群を構成する複数の単語の組合せのいずれかに該当するか否かを判定する音声認識結果判定手段と、
前記音声認識結果判定手段による判定結果が該当する旨を示すとき、当該該当した複数の単語の組合せからなる単語群に対応付けられた前記薬名称情報を前記調剤情報記憶手段から取得する薬名称情報取得手段と、
前記取得された薬名称情報により示される複数の薬の名称のうちのいずれかの薬の名称を選択可能である旨を前記ユーザに対して提示する第２提示手段と、
前記ユーザの操作により、前記提示された複数の薬の名称のうちのいずれかの薬の名称が選択されると、前記電子カルテの複数の項目のうち、予め薬の名称を記録すると定められた項目に、当該選択された薬の名称を前記患者情報として記録する第２記録処理手段と
をさらに備えたことを特徴とする電子カルテ作成装置。
【請求項６】
請求項１乃至請求項５のいずれか１項に記載の電子カルテ作成装置において、
医師及び患者の動作を示す動作情報と、人体の所定の部位のシェーマ画像とが対応付けられた複数のシェーマ情報を記憶するシェーマ情報記憶手段と、
被写体の動作を解析して前記動作情報に変換する動作解析手段と、
前記動作解析手段により得られた動作情報により示される動作が、前記記憶された複数のシェーマ情報に含まれる動作情報により示される動作のいずれかに該当する動作であるか否かを判定する動作認識結果判定手段と、
前記動作認識結果判定手段による判定結果が該当する旨を示すとき、当該該当した動作を示す動作情報に対応付けられた前記シェーマ画像を前記シェーマ情報記憶手段から取得するシェーマ画像取得手段と、
前記取得されたシェーマ画像を、前記電子カルテの複数の項目のうち、予めシェーマ画像を記録すると定められた項目に、前記患者情報として記録する第３記録処理手段と
をさらに備えたことを特徴とする電子カルテ作成装置。
【発明の詳細な説明】
【技術分野】
【０００１】
本発明の実施形態は、電子カルテ作成装置に関する。
【背景技術】
【０００２】
近年、紙のカルテに代えて、電子カルテの普及が進んできており、医師は、鉛筆やボールペンの代わりに、マウスやキーボード等の入力インタフェースを使用して、患者に関する患者情報（例、どのような症状であるか、どのような薬を処方したか等）を電子カルテに入力する。
【先行技術文献】
【特許文献】
【０００３】
【特許文献１】特開平９−５６６９７号公報
【発明の概要】
【発明が解決しようとする課題】
【０００４】
しかしながら、長年、紙のカルテを使用してきた医師にとって、マウスやキーボード等の入力インタフェースを使用して患者情報を入力する電子カルテは、紙のカルテに患者情報を手書きする場合に比べて時間がかかってしまい、診察時間が長くなるという不都合がある。
【０００５】
目的は、マウスやキーボード等の入力インタフェースを極力使用しなくても、患者情報を入力し得る、ひいては、長年、紙のカルテを使用してきた医師が短い時間で電子カルテを作成することを支援し得る電子カルテ作成装置を提供することである。
【課題を解決するための手段】
【０００６】
実施形態の電子カルテ作成装置は、患者情報を記録した電子カルテを作成する装置である。
【０００７】
前記電子カルテ作成装置は、音声解析手段、医療単語記憶手段、抽出手段、第１提示手段及び第１記録処理手段を備えている。
【０００８】
前記音声解析手段は、音声を解析して文字情報に変換する。
【０００９】
前記医療単語記憶手段は、複数の医療単語を記憶する。
【００１０】
前記抽出手段は、前記医療単語記憶手段に記憶された医療単語に基づいて、前記音声解析手段により得られた文字情報の中から入力文字候補を抽出する。
【００１１】
前記第１提示手段は、前記音声解析手段により得られた文字情報を表示すると共に、その文字情報に含まれる前記入力文字候補を選択可能に提示する。
【００１２】
前記第１記録処理手段は、前記電子カルテに含まれる複数の入力項目に、ユーザの操作により選択された入力文字候補を入力する。
【図面の簡単な説明】
【００１３】
【図１】一実施形態に係る電子カルテ作成装置を含む電子カルテ作成システムの構成例を示す模式図である。
【図２】同実施形態に係る医療単語記憶部に記憶されるデータのデータ構造の一例を示す模式図である。
【図３】同実施形態に係るシェーマ情報記憶部に記憶されるデータのデータ構造の一例を示す模式図である。
【図４】同実施形態に係る調剤情報記憶部に記憶されるデータのデータ構造の一例を示す模式図である。
【図５】同実施形態に係る電子カルテ作成装置の動作の一例を示すフローチャートである。
【図６】図５に示すフローチャートを補足的に説明するための模式図である。
【図７】図５に示すフローチャートを補足的に説明するための模式図である。
【図８】図５に示すフローチャートを補足的に説明するための模式図である。
【図９】図５に示すフローチャートを補足的に説明するための模式図である。
【図１０】図５に示すフローチャートを補足的に説明するための模式図である。
【図１１】図５に示すフローチャートを補足的に説明するための模式図である。
【発明を実施するための形態】
【００１４】
図１は、一実施形態に係る電子カルテ作成装置を含む電子カルテ作成システムの構成例を示す模式図であり、図２〜図４は、同実施形態に係る電子カルテ作成装置を構成する各記憶部に記憶されるデータのデータ構造の一例を示す模式図である。
【００１５】
図１に示すように、電子カルテ作成システムは、音声・動作認識装置１０と電子カルテ作成装置２０とを備えている。
【００１６】
図１に示すように、音声・動作認識装置１０は、例えば図示しないネットワーク（例、院内ネットワーク等）を介して電子カルテ作成装置２０と通信可能に接続されており、音声認識部１１と動作認識部１２とを更に備えている。なお、音声・動作認識装置１０としては、例えば、Kinect（登録商標）が用いられる。また、図１に示す音声・動作認識装置１０の構成は、あくまで一例であり、実施形態はこれに限定されるものではない。さらに、音声・動作認識装置１０の各種機能は、電子カルテ作成装置２０が有するとしても良い。以下に、音声・動作認識装置１０を構成する各部１１及び１２の詳細な機能について説明する。
【００１７】
音声認識部１１は、周囲の音声を集音し、音源の方向を特定すると共に音声認識を行う。音声認識部１１は、複数のマイクを備えたマイクアレイを有し、ビームフォーミングを行う。ビームフォーミングは、特定の方向からの音声を選択的に集音する技術である。例えば、音声認識部１１は、マイクアレイを用いたビームフォーミングによって、音源の方向を特定する。また、音声認識部１１は、既知の音声認識技術を用いて、集音した音声から複数の単語からなる文書を認識する（換言すると、音声を解析して文書情報に変換する）。すなわち、音声認識部１１は、例えば、音声認識技術によって認識された複数の単語からなる文書及びその文書が発せられた方向を対応付けた音声認識結果情報を生成する。
【００１８】
動作認識部１２は、被写体（例、医師、患者等）の動作を認識し、当該認識した動作を示す動作認識結果情報（動作情報）を生成する（換言すると、被写体の動作を解析して動作情報に変換する）。
【００１９】
なお、音声認識部１１によって生成される音声認識結果情報は、電子カルテ作成装置２０を構成する音声判別部２５に随時送信され、また、動作認識部１２によって生成される動作認識結果情報は、電子カルテ作成装置２０を構成する動作判別部２６に随時送信される。
【００２０】
また、音声・動作認識装置１０は、動作認識部１２を用いて、医師及び患者の双方が揃ったことを認識すると、すなわち、動作認識部１２により医師及び患者の動作を認識すると、音声認識部１１を作動させ、医師及び患者の音声を集音する機能を有する。
【００２１】
ここでは、音声・動作認識装置１０は、医師と患者との２人の動作を認識し、これら２人の音声を集音するとしたが、これに限定されず、例えば、患者が子供や高齢者であり、付き添い人がいる場合、音声・動作認識装置１０は、医師、患者及び付き添い人の動作を認識し、これら３人（またはそれ以上）の音声を集音するとしても良い。
【００２２】
図１に示すように、電子カルテ作成装置２０は、例えば図示しないネットワークを介して音声・動作認識装置１０と通信可能に接続されており、医療単語記憶部２１、シェーマ情報記憶部２２、調剤情報記憶部２３、電子カルテ記憶部２４、音声判別部２５、動作判別部２６及び処理決定部２７を更に備えている。以下に、電子カルテ作成装置２０を構成する各部２１〜２７の詳細な機能について説明する。
【００２３】
医療単語記憶部２１は、図２に示すように、複数の医療単語ａ１（例、咳、鼻水、風邪、咳止め等）を予め記憶する記憶装置である。医療単語とは、医療現場において特に使用すると予想される単語である。なお、医療単語記憶部２１に記憶される医療単語ａ１は、ユーザの操作により適宜追加することが可能である。
【００２４】
シェーマ情報記憶部２２は、図３に示すように、動作情報とシェーマ画像とが対応付けられた複数のシェーマ情報ｂ１を予め記憶する記憶装置である。動作情報とは、医師及び患者の動作を示す情報である。シェーマ画像とは、人体の所定の部位の画像を示す画像情報である。図３に示す例では、シェーマ情報ｂ１には、「医師が患者の口を診察する動作」を示す動作情報に対応付けて「口」を示すシェーマ画像が含まれている。なお、シェーマ情報記憶部２２に記憶されるシェーマ情報ｂ１は、ユーザの操作により適宜追加することが可能である。また、本実施形態では、シェーマ情報が動作情報とシェーマ画像とが対応付けられた情報であるとしたが、これに限定されず、例えば、シェーマ情報は、文書が更に対応付けられた情報であるとしても良い。具体的には、シェーマ情報は、「医師が患者の口を診察する動作」を示す動作情報と、「それじゃあ口を開けてください」という文書と、「口」を示すシェーマ画像とが対応付けられた情報であるとしても良い。
【００２５】
調剤情報記憶部２３は、図４に示すように、単語群と薬名称情報とが対応付けられた複数の調剤情報ｃ１を予め記憶する記憶装置である。単語群とは、複数の単語の組合せ（例、風邪、咳止め、一週間の組合せ等）からなる情報である。薬名称情報は、１つまたは複数の薬の名称（例、薬Ａ、薬Ｂ、薬Ｃ等）を示す情報である。なお、調剤情報記憶部２３に記憶される調剤情報ｃ１は、ユーザの操作により適宜追加することが可能である。
【００２６】
電子カルテ記憶部２４は、電子カルテ作成装置２０によって作成された複数の電子カルテを患者毎に記憶する記憶装置である。
【００２７】
音声判別部２５は、音声・動作認識装置１０の音声認識部１１から送信された音声認識結果情報の入力を受け付けると、当該入力を受け付けた音声認識結果情報に含まれる方向に基づいて、当該音声認識結果情報に含まれる文書が医師または患者のどちらの音声から認識した文書であるかを判別する機能を有する（又は、音声・動作認識装置１０の各種機能を電子カルテ作成装置２０が有する場合、音声判別部２５は、前述の各種機能により得られた音声認識結果情報に含まれる音源の方向に基づいて、当該音声認識結果情報に含まれる文書情報が医師または患者のどちらの音声を解析したものであるかを判別する）。但し、医師が音声・動作認識装置１０からみて通常どちら側に位置し、患者が音声・動作認識装置１０からみて通常どちら側に位置するといったことは、事前情報として予め設定しておく必要がある。すなわち、事前情報により医師が通常右側に位置し、患者が通常左側に位置するといったことが設定されていた場合、音声判別部２５は、音声認識結果情報に含まれる方向が右を示すとき、当該音声認識結果情報に含まれる文書は医師の音声から認識した文書であると判別し、音声認識結果情報に含まれる方向が左を示すとき、当該音声認識結果情報に含まれる文書は患者の音声から認識した文書であると判別する。
【００２８】
動作判別部２６は、音声・動作認識装置１０の動作認識部１２から送信された動作認識結果情報の入力を受け付けると、当該入力を受け付けた動作認識結果情報により示される動作が、シェーマ情報記憶部２２に記憶された複数のシェーマ情報ｂ１に含まれる動作情報により示される動作のいずれかに該当する動作であるか否かを判定する機能を有する（又は、音声・動作認識装置１０の各種機能を電子カルテ作成装置２０が有する場合、動作判別部２６は、前述の各種機能により得られた動作認識結果情報により示される動作が、シェーマ情報記憶部２２に記憶された複数のシェーマ情報ｂ１に含まれる動作情報により示される動作のいずれかに該当する動作であるか否かを判定する）。なお、上記した判定の結果が該当する動作である旨を示すとき、動作判別部２６は、シェーマ画像取得部３０にシェーマ画像を取得させるために画像取得要求を出力する。
【００２９】
図１に示すように、処理決定部２７は、音声認識結果分類部２８、医療単語抽出部２９、シェーマ画像取得部３０、医師音声認識結果判定部３１、薬名称情報取得部３２、表示部３３及び患者情報記録部３４を更に備えている。以下に、処理決定部２７を構成する各部２８〜３４の詳細な機能について説明する。なお、以下の説明においては記載を簡略化するために、「図示しない表示装置に表示」と記載した場合、図示しない表示装置に表示させる画面情報を生成し、当該生成した画面情報を表示部３３を介して図示しない表示装置に表示させる旨を示しているものとする。
【００３０】
音声認識結果分類部２８は、音声判別部２５による判別結果に応じて、入力を受け付けた音声認識結果情報（又は、音声・動作認識装置１０の各種機能を電子カルテ作成装置２０が有する場合、前述の各種機能により得られた音声認識結果情報）を、医師の音声から認識した文書を含む第１の音声認識結果情報と、患者の音声から認識した文書を含む第２の音声認識結果情報とに分類し、これら音声認識結果情報を図示しない一時メモリ等に書込む機能を有する。なお、音声・動作認識装置１０により医師及び患者の２人の音声ではなく、医師、患者及び付き添い人等、３人以上の音声を集音されている場合、音声認識結果分類部２８は、集音された音声の種類と同様な数だけ、音声認識結果情報を分類する。また、音声認識結果分類部２８は、分類した第１の音声認識結果情報を医師の発言として、また、分類した第２の音声認識結果情報を患者の発言として、図示しない表示装置に表示させることが可能である。
【００３１】
医療単語抽出部２９は、音声認識結果情報を構成する複数の単語から医療単語記憶部２１に記憶される複数の医療単語ａ１と一致する単語（入力文字候補）を抽出する機能を有する。また、医療単語抽出部２９は、抽出した単語を所定の方法（例、ハイライト等）で強調して、図示しない表示装置に表示させることが可能である。
【００３２】
シェーマ画像取得部３０は、動作判別部２６による判定結果が該当する動作である旨を示すとき、すなわち、動作判別部２６から出力された画像取得要求を受けると、当該該当した動作を示す動作情報に対応付けられたシェーマ画像をシェーマ情報記憶部２２から取得する機能を有する。
【００３３】
医師音声認識結果判定部３１は、第１の音声認識結果情報に含まれる文書を構成する複数の単語が、調剤情報記憶部２３に記憶された複数の調剤情報ｃ１に含まれる単語群を構成する複数の単語の組合せのいずれかに該当するか否かを判定する機能を有する。なお、上記した判定の結果が該当する旨を示すとき、医師音声認識結果判定部３１は、薬名称情報取得部３２に薬名称情報を取得させるために名称情報取得要求を出力する。
【００３４】
薬名称情報取得部３２は、医師音声認識結果判定部３１による判定結果が該当する旨を示すとき、すなわち、医師音声認識結果判定部３１から出力された名称情報取得要求を受けると、当該該当した複数の単語の組合せからなる単語群に対応付けられた薬名称情報を調剤情報記憶部２３から取得する機能を有する。
【００３５】
表示部３３は、ユーザの操作に応じて、電子カルテに含まれる複数の項目のうちのいずれかの項目を選択可能である旨をユーザに対して提示する、すなわち、電子カルテに含まれる複数の項目のうちのいずれかの項目を選択可能なプルダウンメニューを図示しない表示装置に表示させる機能を有する。また、表示部３３は、薬名称情報取得部３２により取得された薬名称情報により示される複数の薬の名称のうちのいずれかの薬の名称を選択可能である旨をユーザに対して提示する、すなわち、複数の薬の名称のうちのいずれかの薬の名称を選択可能なプルダウンメニューを図示しない表示装置に表示させる機能を有する。
【００３６】
患者情報記録部３４は、ユーザの操作により、表示部３３により提示された複数の項目のうちのいずれかの項目が選択されると、当該選択された項目に、医療単語抽出部２９により抽出された少なくとも１つの単語（入力文字候補）を患者情報として記録する機能を有する。また、患者情報記録部３４は、電子カルテの複数の項目のうち、予めシェーマ画像を記録すると定められた項目に、シェーマ画像取得部３０により取得されたシェーマ画像を患者情報として記録する機能を有する。更に、患者情報記録部３４は、ユーザの操作により、表示部３３により提示された複数の薬の名称のうちのいずれかの薬の名称が選択されると、電子カルテの複数の項目のうち、予め薬の名称を記録すると定められた項目に、当該選択された薬の名称を患者情報として記録する機能を有する。
【００３７】
次に、以上のように構成された電子カルテ作成装置２０の動作の一例について、図５のフローチャートと、図６〜図１１の模式図とを参照しながら説明する。但し、ここでは、音声・動作認識装置１０は、医師及び患者の２人の動作を認識し、これら２人の音声を集音しているものとし、更には、音声・動作認識装置１０は、生成した音声認識結果情報及び生成した動作認識結果情報を電子カルテ作成装置２０に随時送信しているものとする。
【００３８】
始めに、音声判別部２５は、音声・動作認識装置１０の音声認識部１１から送信された音声認識結果情報の入力を受け付けると、当該入力を受け付けた音声認識結果情報に含まれる方向に基づいて、当該音声認識結果情報に含まれる文書が医師または患者のどちらの音声であるかを判別する（ステップＳ１）。
【００３９】
続いて、上記したステップＳ１の判定処理の結果に応じて、音声認識結果分類部２８は、入力を受け付けた音声認識結果情報を、医師の音声から認識した文書を含む第１の音声認識結果情報と、患者の音声から認識した文書を含む第２の音声認識結果情報とに分類し、これら音声認識結果情報を図示しない一時メモリ等に書込む（ステップＳ２）。このとき、第１の音声認識結果情報や第２の音声認識結果情報は、表示部３３によって図示しない表示装置に出力され、当該表示装置には、例えば図６に示すように、第１の音声認識結果情報に含まれる「どうしました？」という文書が「医師発言」として項目ｄ１に、また、第２の音声認識結果情報に含まれる「朝から咳が止まらなくて、あと鼻水も。」という文書が「患者発言」として項目ｄ２にそれぞれ表示される。
【００４０】
次に、医療単語抽出部２９は、上記したステップＳ２の処理により分類された第１の音声認識結果情報に含まれる文書を構成する複数の単語と、第２の音声認識結果情報に含まれる文書を構成する複数の単語とから、医療単語記憶部２１に記憶された複数の医療単語ａ１に一致する少なくとも１つの単語を抽出する（ステップＳ３）。ここでは、医療単語抽出部２９は、例えば図６に示すように、「咳」及び「鼻水」といった単語を抽出し、これら抽出した単語を所定の方法（例、ハイライト等）で強調した上で、図示しない表示装置に表示させる。
【００４１】
続いて、表示部３３は、ユーザの操作に応じて、電子カルテに含まれる複数の項目のうちのいずれかの項目が選択可能である旨を当該ユーザに対して提示する（ステップＳ４）。ここでは、上記したステップＳ３の処理により抽出された単語のいずれか（または複数）を図示しない入力インタフェース（例、マウス、キーボード等）を用いて指定する旨の入力を受け付けると、表示部３３は、例えば図７に示すように、図示しない表示装置にプルダウンメニューｍ１を表示させ、当該プルダウンメニューｍ１に含まれる複数の項目、ここでは「主訴」、「所見」及び「投薬」のうちのいずれかの項目を選択するようユーザに促す。
【００４２】
なお、以下の説明においては、当該ステップＳ４の処理において、「咳」及び「鼻水」といった単語がユーザの操作により指定され、更には、プルダウンメニューｍ１から「主訴」の項目がユーザの操作により指定されたものと仮定する。
【００４３】
次に、患者情報記録部３４は、ユーザの操作により、上記したステップＳ４の処理により提示された複数の項目のうちのいずれかの項目が選択されると、当該選択された項目に、ユーザの操作により指定された単語を患者情報として記録する（ステップＳ５）。ここでは、患者情報記録部３４は、例えば図８に示すように、「咳」及び「鼻水」といった単語を電子カルテｅ１の「主訴」の項目に記録する。
【００４４】
続いて、動作判別部２６は、音声・動作認識装置１０の動作認識部１２により送信された動作認識結果情報の入力を受け付けると、当該入力を受け付けた動作認識結果情報により示される動作が、シェーマ情報記憶部２２に記憶された複数のシェーマ情報ｂ１に含まれる動作情報により示される動作のいずれかに該当する動作であるか否かを判定する（ステップＳ６）。なお、ステップＳ６の判定処理の結果が否を示す場合（ステップＳ６のＮＯ）、後述するステップＳ９の処理に進む。
【００４５】
また、以下の説明においては、当該ステップＳ６の処理において入力を受け付けた動作認識結果情報により示される動作が、例えば図８に示すように、「医師が患者の口を診察する動作」であるものと仮定する。
【００４６】
ステップＳ６の判定処理の結果が該当する旨を示す場合（ステップＳ６のＹＥＳ）、シェーマ画像取得部３０は、該当した動作を示す動作情報に対応付けられたシェーマ画像をシェーマ情報記憶部２２から取得する（ステップＳ７）。ここでは、シェーマ画像取得部３０は、「医師が患者の口を診察する動作」に対応付けられた「口」を示すシェーマ画像をシェーマ情報記憶部２２から取得する。
【００４７】
次に、患者情報記録部３４は、上記したステップＳ７の処理により取得されたシェーマ画像を、電子カルテの複数の項目のうち、予めシェーマ画像を記録すると定められた項目に患者情報として記録する（ステップＳ８）。ここでは、患者情報記録部３４は、例えば図９に示すように、「口」を示すシェーマ画像を電子カルテｅ１の「所見」の項目に記録する。
【００４８】
続いて、医師音声認識結果判定部３１は、音声認識結果分類部２８により分類された第１の音声認識結果情報に含まれる文書を構成する複数の単語が、調剤情報記憶部２３に記憶された複数の調剤情報ｃ１に含まれる単語群を構成する複数の単語の組合せのいずれかに該当するか否かを判定する（ステップＳ９）。なお、ステップＳ９の判定処理の結果が否を示す場合（ステップＳ９のＮＯ）、電子カルテ作成装置２０は、上記ステップＳ１〜ステップＳ８の処理において作成された電子カルテｅ１を電子カルテ記憶部２４に書込み、本動作例における処理を終了させる。
【００４９】
また、以下の説明においては、当該ステップＳ９の処理において、第１の音声認識結果情報に含まれる文書を構成する複数の単語に「風邪」、「咳止め」及び「一週間」という単語が含まれていたものと仮定する。
【００５０】
ステップＳ９の判定処理の結果が該当する旨を示す場合（ステップＳ９のＹＥＳ）、薬名称情報取得部３２は、該当した複数の単語の組合せからなる単語群に対応付けられた薬名称情報を調剤情報記憶部２３から取得する（ステップＳ１０）。ここでは、薬名称情報取得部３２は、「風邪」、「咳止め」及び「一週間」という複数の単語の組合せからなる単語群に対応付けられた「薬Ａ」、「薬Ｂ」及び「薬Ｃ」を示す薬名称情報を調剤情報記憶部２３から取得する。
【００５１】
次に、表示部３３は、上記したステップＳ１０の処理により取得された薬名称情報により示される複数の薬の名称のうちいずれかの薬の名称を選択可能である旨をユーザに対して提示する（ステップＳ１１）。ここでは、表示部３３は、例えば図１０に示すように、図示しない表示装置にプルダウンメニューｍ２（投薬リスト）を表示させ、当該プルダウンメニューｍ２に含まれる複数の薬の名称、ここでは「薬Ａ」、「薬Ｂ」及び「薬Ｃ」のうちのいずれかの薬の名称を選択するようユーザに促す。
【００５２】
なお、以下の説明においては、当該ステップＳ１１の処理において、プルダウンメニューｍ２から「薬Ａ」の項目がユーザの操作により指定されたものと仮定する。
【００５３】
しかる後、患者情報記録部３４が、ユーザの操作により、上記したステップＳ１１の処理により提示された複数の薬の名称のうちのいずれかの薬の名称が選択されると、当該選択された薬の名称を、電子カルテの複数の項目のうち、予め薬の名称を記録すると定められた項目に患者情報として記録し（ステップＳ１２）、その後、電子カルテ作成装置２０は、上記したステップＳ１〜ステップＳ１２の処理において作成された電子カルテを電子カルテ記憶部２４に書込み、本動作例における処理を終了させる。ここでは、患者情報記録部３４は、例えば図１１に示すように、「薬Ａ」を電子カルテｅ１の「投薬」の項目に記録する。
【００５４】
なお、本実施形態では、シェーマ情報記憶部２２に記憶された複数のシェーマ情報ｂ１に含まれる動作情報により示される動作のいずれかに該当する動作であるときにシェーマ画像を取得し、電子カルテに患者情報として記録するとしたが、シェーマ画像の記録手法としては、例えば、音声・動作認識装置１０が医師の触診する動作を認識し、更には、医師の「ここは？」といった発言に対する患者の「痛いです」といった発言を認識した旨を示すときに、電子カルテ作成装置２０は、患者からの「痛いです」といった発言を音声・動作認識装置１０が認識したときに医師が触診していた部位にマーキングを施した人体を模式的に示すシェーマ画像を生成し、電子カルテに患者情報として記録するとしても良い。
【００５５】
以上説明した一実施形態によれば、マウスやキーボード等の入力インタフェースを極力使用しなくても、患者情報を入力し得る、ひいては、長年、紙のカルテを使用してきた医師が短い時間で電子カルテを作成することを支援し得る電子カルテ作成装置を提供することができる。
【００５６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０…音声・動作認識装置、１１…音声認識部、１２…動作認識部、２０…電子カルテ作成装置、２１…医療単語記憶部、２２…シェーマ情報記憶部、２３…調剤情報記憶部、２４…電子カルテ記憶部、２５…音声判別部、２６…動作判別（判定）部、２７…処理決定部、２８…音声認識結果分類部、２９…医療単語抽出部、３０…シェーマ画像取得部、３１…医師音声認識結果判定部、３２…薬名称情報取得部、３３…表示部、３４…患者情報記録部。
【図１】
2015035099.tif 000003
【図２】
2015035099.tif 000004
【図３】
2015035099.tif 000005
【図４】
2015035099.tif 000006
【図５】
2015035099.tif 000007
【図６】
2015035099.tif 000008
【図７】
2015035099.tif 000009
【図８】
2015035099.tif 000010
【図９】
2015035099.tif 000011
【図１０】
2015035099.tif 000012
【図１１】
2015035099.tif 000013